(57)【要約】【課題】捻れ戻りが生じないケーブルハンガを提供することを目的とする。【解決手段】一対の電柱の間をわたるメッセンジャワイヤ５０に沿って架設されたケーブル６０をメッセンジャワイヤ５０に支持させる捻れ防止型コイル状ケーブルハンガ１０は、メッセンジャワイヤ５０に平行に伸びる仮想的円筒Ｃの側面を沿うように螺旋状に伸びるケーブルハンガ本体２０であって仮想的円筒Ｃの内側にケーブル６０を配置するケーブルハンガ本体２０と、ケーブルハンガ本体２０に所定の間隔をおいて形成された複数のワイヤ摺動防止部３０とを備える。複数のワイヤ摺動防止部３０は、ケーブルハンガ本体２０の伸びる方向Ｘにおいてケーブルハンガ本体２０がメッセンジャワイヤ５０に接触する箇所Ｐが移動しないように、かつ、メッセンジャワイヤ５０の伸びる方向Ｙにおいて箇所Ｐが移動可能なように、メッセンジャワイヤ５０を係止する。【選択図】図１
2008029139.tif 000002
【特許請求の範囲】
【請求項１】
一対の支持物の間をわたるワイヤに沿って架設されたケーブルを前記ワイヤに支持させるケーブルハンガであって、
前記ワイヤに平行に伸びる仮想的円筒の側面を沿うように螺旋状に伸びるケーブルハンガ本体であって前記仮想的円筒の内側に前記ケーブルハンガを配置するケーブルハンガ本体と、
前記ケーブルハンガ本体に所定の間隔をおいて形成された複数のワイヤ摺動防止部と、を備え、
前記複数のワイヤ摺動防止部は、前記ケーブルハンガ本体の伸びる方向において該ケーブルハンガ本体が前記ワイヤに接触する箇所が移動しないように、かつ、前記ワイヤの伸びる方向において前記箇所が移動可能なように、前記ワイヤを係止する、捻れ防止型コイル状ケーブルハンガ。
【請求項２】
各ワイヤ摺動防止部は、前記ワイヤを跨ぐように、両端が前記ケーブルハンガ本体に一体的に接続された棒状の跨部を有する、請求項１に記載の捻れ防止型コイル状ケーブルハンガ。
【請求項３】
各ワイヤ摺動防止部は、前記ワイヤが通されるリング状部を有する、請求項１に記載の捻れ防止型コイル状ケーブルハンガ。
【請求項４】
各ワイヤ摺動防止部は、前記ケーブルハンガ本体の所定の位置に形成された貫通孔である、請求項１に記載の捻れ防止型コイル状ケーブルハンガ。
【請求項５】
各ワイヤ摺動防止部は、前記仮想的円筒の延長方向から見て、前記ワイヤと前記ケーブルハンガとの間を横切るように、前記ケーブルハンガ本体の対向する一対の箇所に取り付けられた係止部を有する、請求項１に記載の捻れ防止型コイル状ケーブルハンガ。
【発明の詳細な説明】
【技術分野】
【０００１】
本発明は、ケーブルハンガに関する。
【背景技術】
【０００２】
電線のようなケーブルは、電柱を管理する支持物管理者の規定に従った取り付け方法によって、電柱のような２つの支持物の間に支持される。支持物管理者は、複数のケーブルを電柱に支持させる場合、スパイラル状やコイル状等のケーブルハンガを用いて、複数のケーブルを１条に束ねることを規定している。
【０００３】
図１２に示すように、コイル状のケーブルハンガ１１０は、一対の支持物の間をわたるメッセンジャワイヤ５０に沿って架設されたケーブル６０をメッセンジャワイヤ５０に支持させている。ケーブルハンガ１１０は、メッセンジャワイヤ５０に平行に伸びる仮想的円筒の側面を沿うように螺旋状に伸びている１本のワイヤである。
【０００４】
しかし、１本のワイヤのような線材を螺旋状に巻いている構成をしているので、図１３に示すように、台風や嵐等の強風によりケーブルハンガ１１０に、メッセンジャワイヤ５０の周りを回る力すなわちＸ方向への力が作用すると、ケーブルハンガ１１０の捻れが戻されて、ケーブルハンガ１１０がＹ方向に下がり、ケーブル６０がＺ方向に引き出されてしまう場合がある。
【０００５】
特許文献１には、傾斜地でも、またメッセンジャワイヤ及びケーブルに大きな弛度をとる必要がある場合でも、ケーブルハンガの巻回部の膨らみを生ずることがなく、ケーブルの垂れ下がりを生ずることがないケーブルハンガを得る目的で、電柱に支持したメッセンジャワイヤに沿ってケーブルを架線支持するケーブルハンガにおいて、ケーブルハンガを所定曲げパターンの繰り返しで捲縮した１条の線材によって構成することを提案している。
【特許文献１】特開平１０−２５７６５６号公報
【発明の開示】
【発明が解決しようとする課題】
【０００６】
しかし、特許文献１に記載のケーブルハンガも、ケーブルハンガ１１０と同様に、１本のワイヤで形成しているので、台風や嵐等の強風によりケーブルハンガに、メッセンジャワイヤの周りを回る力が作用すると、ケーブルハンガの捻れが戻されて、ケーブルハンガが下がり、ケーブルがＺ方向に引き出されてしまう場合がある。
【０００７】
本発明は、捻れ戻りが生じないケーブルハンガを提供することを目的とする。
【課題を解決するための手段】
【０００８】
本発明者は、コイル状ハンガに鋼線等を通す構造にすることにより、捻れ防止となることを見出し、以下に示す本発明を完成するに至った。
【０００９】
本発明に係る捻れ防止型コイル状ケーブルハンガは、一対の支持物の間をわたるワイヤ（例えば、メッセンジャワイヤ又は鋼線）に沿って架設されたケーブルを前記ワイヤに支持させるケーブルハンガであって、前記ワイヤに平行に伸びる仮想的円筒の側面を沿うように螺旋状に伸びるケーブルハンガ本体であって前記仮想的円筒の内側に前記ケーブルハンガを配置するケーブルハンガ本体と、前記ケーブルハンガ本体に所定の間隔をおいて形成された複数のワイヤ摺動防止部と、を備え、前記複数のワイヤ摺動防止部は、前記ケーブルハンガ本体の伸びる方向において該ケーブルハンガ本体が前記ワイヤに接触する箇所が移動しないように、かつ、前記ワイヤの伸びる方向において前記箇所が移動可能なように、前記メッセンジャワイヤを係止する。
【００１０】
各ワイヤ摺動防止部は、前記ワイヤを跨ぐように、両端が前記ケーブルハンガ本体に一体的に接続された棒状の跨部を有するようにしてもよいし、前記ワイヤが通されるリング状部を有するようにしてもよい。
【００１１】
また、各ワイヤ摺動防止部は、前記ケーブルハンガ本体の所定の位置に形成された貫通孔にしてもよい。
【００１２】
各ワイヤ摺動防止部は、前記仮想的円筒の延長方向から見て、前記ワイヤと前記ケーブルハンガとの間を横切るように、前記ケーブルハンガ本体の対向する一対の箇所に取り付けられた係止部を有するようにしてもよい。
【発明の効果】
【００１３】
本発明によれば、捻れ防止型コイル状ケーブルハンガは、ケーブルハンガ本体の伸びる方向においてケーブルハンガ本体がワイヤに接触する箇所が移動しないように、ワイヤを係止する複数のワイヤ摺動防止部を備えるので、台風や嵐等の強風によりケーブルハンガに、ワイヤの周りを回る力が作用しても、ケーブルハンガには捻れ戻りが生じない。
【発明を実施するための最良の形態】
【００１４】
以下、本発明の実施形態について、添付した図面を参照しながら説明する。
【００１５】
図１及び図２を参照するに、捻れ防止型コイル状ケーブルハンガ１０はケーブルハンガ本体２０と複数のワイヤ摺動防止部３０とを備える。
【００１６】
図１に示すように、ケーブルハンガ本体２０は、仮想的円筒Ｃの内側にケーブル６０を配置するように、メッセンジャワイヤ５０に平行に伸びる仮想的円筒Ｃの側面を沿うように螺旋状に伸びている。ケーブルハンガ本体２０は、公知のワイヤや樹脂やこれらの組合せで形成されている。
【００１７】
複数のワイヤ摺動防止部３０は、ケーブルハンガ本体２０に所定の間隔をおいて形成されている。具体的には、図２に示すように、複数のワイヤ摺動防止部３０は、仮想的円筒Ｃの延長方向から見て、互いに同じ位置（図２において上方）になるような所定の間隔をおいて形成されている。
【００１８】
ワイヤ摺動防止部３０は棒状の跨部３１を有する。跨部３１は、メッセンジャワイヤ５０を跨ぐように、跨部３１の両端がケーブルハンガ本体２０に一体的に接続されている。したがって、メッセンジャワイヤ５０は、仮想的円筒Ｃの延長方向から見て、ケーブルハンガ本体２０と跨部３１とによって形成される領域ａの内側に接触するように位置している。
【００１９】
また、ケーブル６０は、仮想的円筒Ｃの延長方向から見て、ケーブルハンガ本体２０の内側２２の範囲でありかつ領域ａの外側の範囲、換言するとケーブルハンガ本体２０と跨部３１とによって形成される領域ｂの内側に接触するように位置している。
【００２０】
よって、捻れ防止型コイル状ケーブルハンガ１０は、ケーブルハンガ本体２０の伸びる方向Ｘにおいてケーブルハンガ本体２０がメッセンジャワイヤ５０に接触する箇所Ｐが移動しないように、メッセンジャワイヤ５０を係止する複数のワイヤ摺動防止部３０を備えるので、強風により捻れ防止型コイル状ケーブルハンガ１０に、メッセンジャワイヤ５０の周りを回る力が作用しても、捻れ防止型コイル状ケーブルハンガ１０には捻れ戻りが生じない。
【００２１】
図３から図５を参照して、上述の捻れ防止型コイル状ケーブルハンガ１０を２つの電柱の間に架設する手順を説明する。
【００２２】
図３に示すように、先ず、メッセンジャワイヤ５０に移動滑車８１を組み付ける。
【００２３】
次に、メッセンジャワイヤ５０を捻れ防止型コイル状ケーブルハンガ１０のケーブルハンガ本体２０と跨部３１との間に通して、電柱５に係止する。これにより、ケーブルハンガ本体２０は、密に巻かれた状態で、かつ、メッセンジャワイヤ５０を内側２２と跨部３１とによって形成される領域ａ内に挿通された状態になる。
【００２４】
次に、ケーブル６０を電柱５に取り付けられた滑車８０を介して、ケーブルハンガ本体２０が形成する仮想的円筒の内側２２に挿入する。これにより、ケーブル６０はケーブルハンガ本体２０の領域ｂ内に位置する。
【００２５】
次に、ガイドロープ６１の先端、ケーブルハンガ本体２０の一端部２８及びケーブル６０の先端を移動滑車８１に仮止めする。
【００２６】
次に、ケーブルハンガ本体２０の他端部２９を留め具５１によってメッセンジャワイヤ５０に相対的移動不能に組み付ける。これにより、ケーブルハンガ本体２０がメッセンジャワイヤ５０に対して相対的に移動しないようになる。
【００２７】
次に、図４に示すように、ガイドロープを隣接する電柱５に向けて引っ張る。これにより、移動滑車８１、ひいては、ケーブルハンガ本体２０の一端部２８及びケーブル６０の先端が隣接する電柱５に移動する。
【００２８】
これにより、密に巻かれた状態のケーブルハンガ本体２０は、メッセンジャワイヤ５０の伸びる方向に伸ばされて、メッセンジャワイヤに平行に伸びる仮想的円筒の側面を沿うような螺旋状を形成すると共に、仮想的円筒の内側に前記ケーブルを配置する。
【００２９】
また、図５に示すように、跨部３１は、ケーブルハンガ本体２０の伸びる方向Ｘにおいてケーブルハンガ本体２０がメッセンジャワイヤ５０に接触する箇所Ｐが移動しないように、かつ、メッセンジャワイヤ５０の伸びる方向Ｙにおいてその箇所Ｐが移動可能なように、メッセンジャワイヤ５０を係止する。
【００３０】
そして、ケーブルハンガ本体２０の一端部２８をメッセンジャワイヤ５０に留め具５１を用いて相対的移動不能に組み付ける。また、ケーブル６０の先端を隣接する電柱５に取り付ける。
【００３１】
このようにして設置された捻れ防止型コイル状ケーブルハンガ１０は、メッセンジャワイヤ５０に沿って架設されたケーブル６０をメッセンジャワイヤ５０に支持させている。
【００３２】
また、跨部３１が、ケーブルハンガ本体２０の伸びる方向Ｘにおいてケーブルハンガ本体２０がメッセンジャワイヤ５０に接触する箇所Ｐが移動しないように、かつ、メッセンジャワイヤ５０の伸びる方向Ｙにおいてその箇所Ｐが移動可能なように、メッセンジャワイヤ５０を係止しているので、台風や嵐等の強風により捻れ防止型コイル状ケーブルハンガ１０に、メッセンジャワイヤ５０の周りを回る力が作用しても、捻れ防止型コイル状ケーブルハンガ１０には捻れ戻りが生じない。
【００３３】
図６及び図７を参照するに、捻れ防止型コイル状ケーブルハンガ１０ａはケーブルハンガ本体２０と複数のワイヤ摺動防止部３０ａとを備える。
【００３４】
図６に示すように、各ワイヤ摺動防止部３０ａは、メッセンジャワイヤ５０が通されるリング状部３２を有する。図７に示すように、リング状部３２は、仮想的円筒Ｃの外側に位置している。リング状部３２は、仮想的円筒Ｃの延長方向から見て、互いに同じ位置（図７において上方）になるような所定の間隔をおいて形成されている。
【００３５】
リング状部３２は、ケーブルハンガ本体２０をメッセンジャワイヤ５０に吊した状態になるように、ケーブルハンガ本体２０が形成する仮想的円筒Ｃの外側に突出するようにケーブルハンガ本体２０に一体的に形成されている。したがって、メッセンジャワイヤ５０は、仮想的円筒Ｃの延長方向から見て、リング状部３２によって形成される領域ａの内側に接触するように位置している。
【００３６】
また、ケーブル６０は、仮想的円筒Ｃの延長方向から見て、ケーブルハンガ本体２０の内側２２の範囲である領域ｂに接触するように位置している。
【００３７】
よって、捻れ防止型コイル状ケーブルハンガ１０ａは、ケーブルハンガ本体２０の伸びる方向Ｘにおいてケーブルハンガ本体２０がメッセンジャワイヤ５０に接触する箇所Ｐが移動しないように、メッセンジャワイヤ５０を係止する複数のリング状部３２を備えるので、強風により捻れ防止型コイル状ケーブルハンガ１０ａに、メッセンジャワイヤ５０の周りを回る力が作用しても、捻れ防止型コイル状ケーブルハンガ１０ａには捻れ戻りが生じない。
【００３８】
図８及び図９を参照するに、捻れ防止型コイル状ケーブルハンガ１０ｂはケーブルハンガ本体２０と複数のワイヤ摺動防止部３０ｂとを備える。
【００３９】
図８に示すように、各ワイヤ摺動防止部３０ｂは、鋼線（細いワイヤー）５０ａが通される貫通孔３３を有する。図９に示すように、貫通孔３３は、仮想的円筒Ｃの外側に位置している。貫通孔３３は、仮想的円筒Ｃの延長方向から見て、互いに同じ位置（図９において上方）になるような所定の間隔をおいて形成されている。
【００４０】
貫通孔３３は、ケーブルハンガ本体２０を鋼線５０ａに吊した状態になるように、ケーブルハンガ本体２０に形成されている。したがって、鋼線５０ａは、仮想的円筒Ｃの延長方向から見て、貫通孔３３によって形成される領域ａの内側に接触するように位置している。
【００４１】
また、ケーブル６０は、仮想的円筒Ｃの延長方向から見て、ケーブルハンガ本体２０の内側２２の範囲である領域ｂに接触するように位置している。なお、図示の例では、鋼線５０ａの下側において、鋼線５０ａに接近して、ケーブルハンガ本体２０の内側２２の範囲である領域ｂにはメッセンジャワイヤ５０が配設されている。
【００４２】
よって、捻れ防止型コイル状ケーブルハンガ１０ｂは、ケーブルハンガ本体２０の伸びる方向Ｘにおいてケーブルハンガ本体２０が鋼線５０ａに接触する箇所Ｐが移動しないように、鋼線５０ａを係止する複数の貫通孔３３を備えるので、強風により捻れ防止型コイル状ケーブルハンガ１０ｂに、鋼線５０ａの周りを回る力が作用しても、捻れ防止型コイル状ケーブルハンガ１０ｂには捻れ戻りが生じない。
【００４３】
図１０及び図１１を参照するに、捻れ防止型コイル状ケーブルハンガ１０ｃはケーブルハンガ本体２０と複数のワイヤ摺動防止部７０とを備える。図１０に示すように、ワイヤ摺動防止部７０は、ケーブルハンガ本体２０に取り付けられるＵ字の形状を有する係止部７１と係止部７１の両端を閉じるロック部７２とを有している。係止部７１の両端はロック部７２によってケーブルハンガ本体２０に固定される。したがって、ワイヤ摺動防止部７０は、ケーブルハンガ本体２０をメッセンジャワイヤ５０に設置した後に、ケーブルハンガ本体２０に取り付けることができる。
【００４４】
図１１に示すように、各ワイヤ摺動防止部７０は、仮想的円筒Ｃの延長方向から見て、メッセンジャワイヤ５０とケーブル６０との間を横切るように、ケーブルハンガ本体２０の対向する一対の箇所Ｌ、Ｍに、その両端がロック部７２によって取り付け固定された係止部７１を有するので、メッセンジャワイヤ５０が配置される領域ａとケーブル６０が配置される領域ｂとは係止部７１によって確実に仕切られている。
【００４５】
よって、捻れ防止型コイル状ケーブルハンガ１０ｃは、ケーブルハンガ本体２０の伸びる方向においてケーブルハンガ本体２０がメッセンジャワイヤ５０に接触する箇所Ｐが移動しないように、メッセンジャワイヤ５０を係止する複数のワイヤ摺動防止部７０を備えるので、台風や嵐等の強風により捻れ防止型コイル状ケーブルハンガ１０ｃに、メッセンジャワイヤ５０の周りを回る力が作用しても、捻れ防止型コイル状ケーブルハンガ１０ｃには捻れ戻りが生じない。なお、上述の実施の形態においては、メッセンジャワイヤ５０又は鋼線５０ａがワイヤである。
【００４６】
以上、本発明を実施形態を用いて説明したが、本発明の技術的範囲は上記実施形態に記載の範囲に限定されない。上記実施形態に、多様な変更又は改良を加えることが可能である。また、そのような変更又は改良を加えた形態も本発明の技術的範囲に含まれ得ることが、特許請求の範囲の記載から明らかである。
【図面の簡単な説明】
【００４７】
【図１】本発明に係る捻れ防止型コイル状ケーブルハンガの外観斜視図である。
【図２】図１に示す捻れ防止型コイル状ケーブルハンガの外観側面図である。
【図３】図２に示す捻れ防止型コイル状ケーブルハンガの設置方法を説明するための外観斜視図である。
【図４】図３に続く捻れ防止型コイル状ケーブルハンガの設置方法を説明するための外観斜視図である。
【図５】図４に続く捻れ防止型コイル状ケーブルハンガの設置方法を説明するための外観斜視図である。
【図６】本発明に係る別の捻れ防止型コイル状ケーブルハンガの外観斜視図である。
【図７】図６に示す捻れ防止型コイル状ケーブルハンガの外観側面図である。
【図８】本発明に係る更に別の捻れ防止型コイル状ケーブルハンガの外観斜視図である。
【図９】図８に示す捻れ防止型コイル状ケーブルハンガの外観側面図である。
【図１０】本発明に係る更に別の捻れ防止型コイル状ケーブルハンガの外観斜視図である。
【図１１】図１０に示す捻れ防止型コイル状ケーブルハンガの外観側面図である。
【図１２】従来技術のコイル状ケーブルハンガの外観斜視図である。
【図１３】図１２に示すコイル状ケーブルハンガが垂れた状態を示す外観斜視図である。
【符号の説明】
【００４８】
Ｃ  仮想的円筒
１０、１０ａ、１０ｂ、１０ｃ  捻れ防止型コイル状ケーブルハンガ
２０  ケーブルハンガ本体
２２  内側
２８  一端部
２９  他端部
３０、３０ａ、３０ｂ  ワイヤ摺動防止部
３１  跨部
３２  リング状部
３３  貫通孔
５０  メッセンジャワイヤ
５０ａ  鋼線
５１  留め具
６０  ケーブル
６１  ガイドロープ
７０  ワイヤ摺動防止部
７１  係止部
７２  ロック部
８０  滑車
８１  移動滑車
【図１】
2008029139.tif 000003
【図２】
2008029139.tif 000004
【図３】
2008029139.tif 000005
【図４】
2008029139.tif 000006
【図５】
2008029139.tif 000007
【図６】
2008029139.tif 000008
【図７】
2008029139.tif 000009
【図８】
2008029139.tif 000010
【図９】
2008029139.tif 000011
【図１０】
2008029139.tif 000012
【図１１】
2008029139.tif 000013
【図１２】
2008029139.tif 000014
【図１３】
2008029139.tif 000015